【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】
【請求項１】
エコーキャンセリングシステムであって、
トラッキングエコーキャンセラー、
カレントエコーキャンセラー、および
前記トラッキングエコーキャンセラーと前記カレントエコーキャンセラーの精度を比較するエコーキャンセレーション精度判定装置を備えたこと、
を特徴とするもの。
【請求項２】
請求項１のシステムにおいて、さらに、前記比較に基づいて前記カレントエコーキャンセラーを更新するエコーキャンセラー更新装置、を備えたこと、
を特徴とするもの。
【請求項３】
請求項１のシステムにおいて、前記精度は、同期フレームに基づいて決定されること、
を特徴とするもの。
【請求項４】
請求項１のシステムにおいて、前記トラッキングエコーキャンセラーは、信号内のエコーを監視すること、
を特徴とするもの。
【請求項５】
請求項４のシステムにおいて、前記信号は、デジタル通信環境内の情報であること
を特徴とするもの。
【請求項６】
請求項１のシステムにおいて、前記精度は、受信サンプル信号から無関係な信号(extraneous signal)およびエコーの予測値を減じたものに基づいて得られたこと、
を特徴とするもの。
【請求項７】
請求項１のシステムにおいて、前記トラッキングエコーキャンセラーは、既知の、受信同期フレームに基づいて、一以上のオフラインのエコーキャンセラータップを調整すること、
を特徴とするもの。
【請求項８】
請求項１のシステムにおいて、複数の送信および受信信号の移動平均は、維持され、サンプルの同期フレームから減じられること、
を特徴とするもの。
【請求項９】
請求項１のシステムにおいて、前記カレントエコーキャンセラー用の一以上の係数は、前記トラッキングエコーキャンセラーが一回以上更新される間に、更新されること、
を特徴とするもの。
【請求項１０】
エコーキャンセラーを更新する方法であって、
トラッキングエコーキャンセラーの精度を決定するステップ、
カレントエコーキャンセラーの精度を決定するステップ、
前記エコーキャンセラーの精度を比較するステップ、および
前記トラッキングエコーキャンセラーの精度がより高い場合には、前記トラッキングエコーキャンセラーによって前記カレントエコーキャンセラーを更新するステップ、を備えたこと、
を特徴とするもの。
【請求項１１】
請求項１０の方法において、さらに、入力信号をサンプリングするステップ、を備えたこと、
を特徴とするもの。
【請求項１２】
請求項１０の方法において、さらに、メモリ装置内に入力サンプルを読み込むステップ、を備えたこと、
を特徴とするもの。
【請求項１３】
請求項１０の方法において、さらに、前記トラッキングエコーキャンセラーを更新するステップ、を備えたこと、
を特徴とするもの。
【請求項１４】
請求項１０の方法において、さらに、同期フレームの一部をサンプリングするステップ、を備えたこと、
を特徴とするもの。
【請求項１５】
請求項１４の方法において、前記同期フレームは、デジタル通信環境における通信の一部であること、
を特徴とするもの。
【請求項１６】
請求項１０の方法において、さらに、受信サンプル信号から無関係な信号（extraneous signal)を減じるステップ、を備えたこと、
を特徴とするもの。
【請求項１７】
請求項１０の方法において、さらに、受信サンプル信号からエコーの予測値を減じるステップ、を備えたこと、
を特徴とするもの。
【請求項１８】
請求項１０の方法において、さらに、既知の、受信同期フレームに基づいて、一以上のオフラインのエコーキャンセラータップを調整するステップ、を備えたこと、
を特徴とするもの。
【請求項１９】
請求項１０の方法において、複数の送信および受信信号の移動平均は、維持され、サンプルの同期フレームから減じられること、
を特徴とするもの。
【請求項２０】
請求項１０の方法において、前記カレントエコーキャンセラー用の一以上の係数は、前記トラッキングエコーキャンセラーが一回以上更新される間に、更新されること、
を特徴とするもの。
【請求項２１】
エコーキャンセラーを更新するための情報を備えた情報記憶媒体であって、
トラッキングエコーキャンセラーの精度を決定する情報、
カレントエコーキャンセラーの精度を決定する情報、
前記エコーキャンセラーの精度を比較する情報、および
前記トラッキングエコーキャンセラーの精度がより高い場合には、前記トラッキングエコーキャンセラーによって前記カレントエコーキャンセラーを更新する情報、を備えたこと、
を特徴とするもの。
【請求項２２】
請求項２１の情報記憶媒体において、さらに、入力信号をサンプリングする情報、を備えたこと、
を特徴とするもの。
【請求項２３】
請求項２１の情報記憶媒体において、さらに、入力サンプルをメモリ装置内に読み込む情報、を備えたこと、
を特徴とするもの。
【請求項２４】
請求項２１の情報記憶媒体において、さらに、前記トラッキングエコーキャンセラーを更新する情報、を備えたこと、
を特徴とするもの。
【請求項２５】
請求項２１の情報記憶媒体において、さらに、同期フレームの一部をサンプリングする情報、を備えたこと、
を特徴とするもの。
【請求項２６】
請求項２５の情報記憶媒体において、前記同期フレームは、デジタル通信環境における通信の一部であること、
を特徴とするもの。
【請求項２７】
請求項２１の情報記憶媒体において、さらに、受信サンプル信号から無関係な信号を減じる情報、を備えたこと、
を特徴とするもの。
【請求項２８】
請求項２１の情報記憶媒体において、さらに、受信サンプル信号からエコーの予測値を減じる情報、を備えたこと、
を特徴とするもの。
【請求項２９】
請求項２１の情報記憶媒体において、さらに、既知の、受信同期フレームに基づいて、一以上のオフラインのエコーキャンセラータップを調整する情報、を備えたこと、
を特徴とするもの。
【請求項３０】
請求項２１の情報記憶媒体において、複数の送信および受信信号の移動平均は、維持され、サンプルの同期フレームから減じられること、
を特徴とするもの。
【請求項３１】
請求項２１の情報記憶媒体において、前記カレントエコーキャンセラー用の一以上の係数は、前記トラッキングエコーキャンセラーが一回以上更新される間に、更新されること、
を特徴とするもの。
【手続補正２】
【補正対象書類名】明細書
【補正対象項目名】０００４
【補正方法】変更
【補正の内容】
【０００４】
各サブチャネルのＳＮ比は、基準信号を様々なサブチャネルにわたって送信し、受信信号のＳＮ比を測定することにより決定される。ローディング情報（loading information）は、通常、受信機側で決定されるが、電話局から加入者宅への送信の場合は、例えば、加入者宅等の加入者線の”ローカル”端で、加入者宅から電話局への通信の場合には、電話局側で決定され、各送信−受信機のペアが同じ情報を用いて互いに通信できるよう、他の”送信(transmitting)”又は遠隔側に送られる。ビット・アロケーション情報は、特定の受信機にデータを送信する場合に各サブチャネル上で用いられるビット数を定義するため、通信ペアリンクの両端において記憶される。サブチャネルの定義を補助するため、サブチャネル利得、時間、周波数ドメインイコライザーの係数および他の特性等のサブチャネルの他のパラメーターを記憶するようにしてもよい。
【手続補正３】
【補正対象書類名】明細書
【補正対象項目名】０００８
【補正方法】変更
【補正の内容】
【０００８】
【発明の概要】
本発明のシステム及び方法は、同期フレームの既知の特性をオフライン状態において監視し、更新し、エコーキャンセラー、例えば、ＡＤＳＬモデム等のモデム、の精度を決定すること、に基づく。具体的には、モデムの送信（Ｔｘ）パスおよび受信（Ｒｘ）パスからタイムドメインサンプルが読み出される。これらのサンプルは、レジスタ等のメモリに記憶される。同期フレームが所定数の同じＴＸサンプルおよびＲＸサンプルを受信すると、かかるサンプルはアレイ内に記憶される。同期フレームにわたるＴＸ及びＲＸサンプルの移動平均が維持される。これらの平均値は、エコーキャンセラータップのＬＭＳによる更新を可能とし、関係のない信号(extraneous signal)の影響を受けないようにするため、サンプルの同期フレームから減じられる。
【手続補正４】
【補正対象書類名】明細書
【補正対象項目名】００１３
【補正方法】変更
【補正の内容】
【００１３】
例示的なデジタルエコーキャンセラーは、１９２のタップ長を有するＦＩＲ（有限インパルス応答）フィルターとして実現される。しかし、本発明のシステムおよび方法は、どのようなエコーキャンセレーション型フィルター又は装置においても、同様に動作することが理解されよう。
【手続補正５】
【補正対象書類名】明細書
【補正対象項目名】００２０
【補正方法】変更
【補正の内容】
【００２０】
ＴｘおよびＲｘが集められ、平均値が決定されると、必要とされるデジタルエコーキャンセラータップ更新情報の全てが揃うことになる。エコーとエコーの予測値間における伝播速度の遅延が相違することにより、例示したエコーキャンセラーの最初の８個のタップは用いられない（０である）。これにより、１の同期フレームから１セットのデータを用いることで、複数のエコーキャンセラータップを更新することができる。ＴｘおよびＲｘサンプルの収集が平行して行われるのであれば、より多くの更新を実行することができる。
【手続補正６】
【補正対象書類名】明細書
【補正対象項目名】００２６
【補正方法】変更
【補正の内容】
【００２６】
動作中、モデム２００は、同期フレームを含むフレームの形式でデータを受信し、および／または、送信する。前述のように、同期フレームの特性は既知である。このかかる同期フレームの受信は、入／出力インターフェースおよびコントローラー１２０の協働、または、同期フレーム検出装置１４０によって検出される。エコーキャンセレーション装置１００は、同期フレームの受信を検出すると、同期フレ−ム内のデータパスのサンプリングを開始する。サンプリングされたサンプルは、コントローラー１２０および入／出力インターフェースの協働によってメモリ１３０内に記憶される。次に、メモリ１３０内に記憶されたサンプルは、コントローラー１２０を用いて読み出され、測定モードに入ったか否かの判断がなされる。
【手続補正７】
【補正対象書類名】明細書
【補正対象項目名】００２８
【補正方法】変更
【補正の内容】
【００２８】
エコーキャンセレーション装置１００が測定モードに入っている場合には、それに代えて、トラッキングエコーキャンセラー１８０およびエコーキャンセラー１７０に両方におけるエコーキャンセリングフィルターの精度が決定される。具体的には、受信したサンプル信号から、関係のない信号(extraneous signal)が減じられる。さらに、エコーの予測値が、この無関係な信号から減じられる。これにより、エラーの予測値が算出される。次に、エコーキャンセラー１７０のエラー値とトラッキングエコーキャンセラー１８０のエラー値が比較される。トラッキングエコーキャンセラー１８０の精度が、エコーキャンセラー１７０の精度よりも高い場合、エコーキャンセラー１７０は、例えば、メモリー１３０から、エコーキャンセレーションフィルター用の新しい係数をダウンロードすることにより更新される。